(57)【要約】本発明の一実施形態は、一人以上の生徒に音楽を教える方法に関する。インストラクターの楽器（２０）の手動操作により、各生徒の楽器（２１−２４）上のガイドランプ（３０−３３）の光がリアルタイムで制御される。このことによって、生徒は視覚的に演奏される音符とインストラクターの口頭指示とを結び付けることができ、次いで、インストラクターまたは遠くにあるディスプレイを見上げる必要なくして視覚的に示された音符を演奏する。別の実施形態では、その楽器のインストラクターの手動操作は、各生徒の楽器上で演奏される音符（３４−３７）の楽譜表示を提供する。生徒達は、演奏された音と楽譜表示上の音符とを視覚的に結びつけ得る。通信ネットワーク上の遠隔指導も、指導の支援、および楽器の使用を支援するために、楽器の取外し可能なインターフェースと同様に記載される。
2007526495.tif 000002
【特許請求の範囲】
【請求項１】
音楽を教える方法であって、
第１の電子楽器を少なくとも第２の電子楽器に接続することと、
該第１の電子楽器を用いて少なくとも１つの音符を生成することと、
該音符に対応するデータを生成することと、
該第１の電子楽器から該第２の電子楽器へと該データを伝送することと、
該受信したデータに基づいて、該第２の電子楽器上において音符を識別する視覚表示を提供することによって、ユーザーを指導することと
を包含する、方法。
【請求項２】
前記視覚表示を提供する工程が、前記受信したデータに基づいて、前記第２の電子楽器上の少なくとも１つのランプが光ることを包含する、請求項１に記載の方法。
【請求項３】
前記視覚表示を提供する工程が、前記受信したデータに基づいて、前記第２の電子楽器上に楽譜を表示することを包含する、請求項１に記載の方法。
【請求項４】
前記データがＭＩＤＩデータである、請求項１に記載の方法。
【請求項５】
前記第２の電子楽器を少なくとも第３の電子楽器に接続することと、
該第２の電子楽器から該第３の電子楽器へと前記データを伝送することと、
該受信したデータに基づいて、該第３の電子楽器上において音符を識別する視覚表示を提供することによって、第２のユーザーを指導することと
をさらに包含する、請求項１に記載の方法。
【請求項６】
前記第１の電子楽器を少なくとも第３の電子楽器に接続することと、
該第１の電子楽器から該第３の電子楽器へと前記データを伝送することと、
該受信したデータに基づいて、該第３の電子楽器上において音符を識別する視覚表示を提供することによって、第２のユーザーを指導することと
をさらに包含する、請求項１に記載の方法。
【請求項７】
前記第２の電子楽器を用いて前記音符に対応する音を生成することをさらに包含する、請求項１に記載の方法。
【請求項８】
前記第１および第２の電子楽器が電子鍵盤楽器である、請求項１に記載の方法。
【請求項９】
音楽を教える方法であって、
第１の電子楽器を用いて少なくとも１つの音符を生成することと、
該音符に対応するデータを生成することと、
通信ネットワークを介して、該第１の電子楽器から少なくとも第２の電子楽器へと該データを伝送することと、
該受信したデータに基づいて、該第２の電子楽器上において音符を識別する視覚表示を提供することによって、ユーザーを指導することと
を包含する、方法。
【請求項１０】
前記視覚表示を提供する工程が、前記受信したデータに基づいて、前記第２の電子楽器上の少なくとも１つのランプが光ることを包含する、請求項９に記載の方法。
【請求項１１】
前記視覚表示を提供する工程が、前記受信したデータに基づいて、前記第２の電子楽器上に楽譜を表示することを包含する、請求項９に記載の方法。
【請求項１２】
前記データがＭＩＤＩデータである、請求項９に記載の方法。
【請求項１３】
前記第２の電子楽器から少なくとも第３の電子楽器へと前記データを伝送することと、
該受信したデータに基づいて、該第３の電子楽器上において音符を識別する視覚表示を提供することによって、第２のユーザーを指導することと
をさらに包含する、請求項９に記載の方法。
【請求項１４】
前記第２の電子楽器から第３の電子楽器への前記データは、通信ネットワークを介して伝送される、請求項１３に記載の方法。
【請求項１５】
前記通信ネットワークを介して前記第１の電子楽器から少なくとも第３の電子楽器へと前記データを伝送することと、
該受信したデータに基づいて、該第３の電子楽器上において音符を識別する視覚表示を提供することによって、第２のユーザーを指導することと
をさらに包含する、請求項９に記載の方法。
【請求項１６】
前記第１および第２の電子楽器が電子鍵盤楽器である、請求項９に記載の方法。
【請求項１７】
前記通信ネットワークがインターネットである、請求項９に記載の方法。
【請求項１８】
前記第２の電子楽器を用いて前記音符に対応する音を生成することをさらに包含する、請求項９に記載の方法。
【請求項１９】
演奏を実行する方法であって、
第１の電子楽器に該演奏のデータを記憶することと、
該第１の電子楽器を少なくとも第２の電子楽器に接続することと、
該記憶されたデータに基づいて、該第１および第２の電子楽器上において音符を識別する視覚表示を提供する第１の工程と、
該第１の電子楽器を用いて該音符を演奏することと、
該音符に対応するデータを生成することと、
該第２の電子楽器へと該生成されたデータを伝送することと、
該生成されたデータに基づいて、該第２の電子楽器上に視覚表示を提供する第２の工程と、
該第２の電子楽器上の該音符を演奏することと
を包含する、方法。
【請求項２０】
前記視覚表示を提供する第１の工程が、前記記憶されたデータに基づいて、前記第１および第２の電子楽器上の少なくとも１つのランプが光ることを包含し、前記視覚表示を提供する第２の工程が、前記生成されたデータに基づいて、該第２の電子楽器上の少なくとも１つのランプが光ることを包含する、請求項１９に記載の方法。
【請求項２１】
前記記憶されたデータに基づいて第１および第２の電子楽器の少なくとも１つのランプが光る工程が、点滅の態様で該ランプが光ることを包含し、前記生成されたデータに基づいて第２の電子楽器上の少なくとも１つのランプが光る工程が、定常的に光る態様で該ランプが光ることを包含する、請求項２０に記載の方法。
【請求項２２】
前記記憶されたデータと前記生成されたデータとがＭＩＤＩデータである、請求項１９に記載の方法。
【請求項２３】
前記視覚表示を提供する第１の工程が、前記記憶されたデータに基づいて、前記第１および第２の電子楽器上に楽譜を表示することを包含し、前記視覚表示を提供する第２の工程が、前記生成されたデータに基づいて、該第２の電子楽器上に楽譜を表示することを包含する、請求項１９に記載の方法。
【請求項２４】
前記第１および第２の電子楽器が電子鍵盤楽器である、請求項１９に記載の方法。
【請求項２５】
前記接続する工程が、通信ネットワークを介して前記第１の電子楽器を前記第２の電気楽器に接続することを包含する、請求項１９に記載の方法。
【請求項２６】
前記通信ネットワークがインターネットである、請求項２５に記載の方法。
【請求項２７】
前記記憶されたデータが自動伴奏データを含む、請求項１９に記載の方法。
【請求項２８】
前記自動伴奏データに基づいて、前記第２の電子楽器上に伴奏を生成することをさらに包含する、請求項２７に記載の方法。
【請求項２９】
電子楽器とともに用いる装置であって、該楽器は、ディスプレイと、複数のパネル部材と、該パネル部材に対応するパネル文字とを備えたパネルを有し、該装置は、
上面と底面とを有するプレートであって、該底面は該パネル上に配置されるように適合されている、プレートと、
第１の開口部であって、第１のパネル部材が該第１の開口部を介して延びるように該第１のパネル部材に対応する、第１の開口部と、
第２の開口部であって、該ディスプレイが該第２の開口部を介して見ることができるように該ディスプレイに対応する、第２の開口部と、
少なくとも第３のパネル部材を覆う中実部と
を備える、装置。
【請求項３０】
前記プレートが、前記パネルに取り外し可能に取り付けられている、請求項２９に記載の装置。
【請求項３１】
前記中実部が、前記第３の部材の覆いを取るように取り外され得る、請求項２９に記載の装置。
【請求項３２】
前記電子楽器が電子鍵盤楽器である、請求項２９に記載の装置。
【請求項３３】
前記第１の開口部に隣接した前記プレートの前記上面が第１の色でマークされている、請求項２９に記載の装置。
【請求項３４】
前記第１の色が、前記第１の開口部から第４の開口部に隣接した領域へと前記プレートの前記上面に沿って延び、該第４の開口部は、前記第１のパネル部材に隣接した第４のパネル部材に対応する、請求項３３に記載の方法。
【請求項３５】
前記第１および第４パネル部材は、前記電子楽器に対して類似の機能を実行する、請求項３４に記載の装置。
【請求項３６】
前記第１の色が、前記第１の開口部から前記第２の開口部に隣接した領域へと前記プレートの前記上面に沿って延びる、請求項３３に記載の装置。
【請求項３７】
前記ディスプレイが前記第１の色を表示する、請求項３６に記載の装置。
【請求項３８】
前記中実部の前記上面が、パネル部材に対応する文字を含む、請求項２９に記載の装置。
【請求項３９】
前記中実部の前記上面の前記文字が、前記パネル部材に対応する前記パネルの文字と同一でない、請求項３８に記載の装置。
【請求項４０】
前記中実部上の前記文字が、前記パネル部材に対応する前記パネルの文字よりも大きい、請求項３９に記載の装置。
【請求項４１】
前記プレートがプラスチックから作成されている、請求項２９に記載の装置。
【請求項４２】
前記プレートが平坦である、請求項３０に記載の装置。
【発明の詳細な説明】
【技術分野】
【０００１】
本発明は、１人の生徒または一グループの複数の生徒に音楽を教える方法に関する。より詳しくは、本発明は、楽器のインストラクターの手動操作によって、各生徒の楽器上のガイドランプおよび楽譜のディスプレイの光を制御する指導方法に関する。インストラクターは、視覚的に生徒に音符を示すことができ、または演奏を介して生徒を指導することすらできる。
【背景技術】
【０００２】
音楽を学ぶことは、初心者の生徒には要求が多くあり得る。その生徒は、音楽言語（ト音記号、ハ音記号など）だけでなく、その言語と選択した楽器との関係の態様を学ぶ必要がある。例えば、鍵盤楽器の音楽を学ぶことを選んだ生徒は、演奏する音符と鍵盤上のキーとの関係を学ぶ必要がある。このレベルの理解を達成することは、非常に困難かつ時間がかかり得る。さらに、生徒が自身の理解を演奏に適用しようと望む場合、少なくとも、どの音符を演奏し、いつその音符を演奏し、どれだけその音符を保持するかを学ぶ必要がある。
【０００３】
従来の一指導方法では、演奏者を指導する演奏指導機能を有する楽器を用いる。この方法では、生徒は、楽器上で演奏する記憶された演奏データを選択する。その楽器が鍵盤楽器である場合には、その楽器の演奏指導機能は、どのキーを操作すべきかを示し、それによって、演奏を介して生徒を指導する。
【０００４】
操作すべきキーは、一列に並んだ発光ダイオード（ＬＥＤ）または鍵盤のキーに隣接して配置されたガイドランプによって示され得る。各ガイドランプは、所定のキーに対応する。演奏が進むにつれ、演奏されるべき音符に対応するガイドランプが、連続して光る。そのガイドランプの連続光は、生徒に、どの音符を演奏し、いつその音符を演奏し、どれだけその音符を保持すべきかを知らせる。一部の楽器（例えば、米国特許第６，３３７，４３３号に開示された楽器）は、どちらの手のどの指で指定されたキーを操作すべきかをさらに示す。
【０００５】
操作されるべきキーは、キーに隣接して配置された液晶ディスプレイ（ＬＣＤ）を介しても示され得る。そのディスプレイは、演奏の楽譜、あるいは、米国特許第５，８８６，２７３号に開示されているような鍵盤の画を表示し得る。その画は、演奏中に押されるべきキーを強調表示する。スクロール機能によって、演奏が進むにつれていつそのキーを押してはなすかを生徒に知らせることができる。
【０００６】
ガイドランプや楽譜表示などの演奏指導機能は、生徒に演奏を教え得るが、この指導方法は、記憶された演奏データの制御下において光るガイドランプを追うことによる個人指導に限定される。生徒は、自動化されたガイドランプまたは楽譜ディスプレイを追うことによって演奏を独学する。その指導方法は、人間のインストラクターによる指導を含まないが、その代わりに、この指導方法はそのインストラクターの代わりとなる。
【０００７】
一グループの複数の生徒への指導を可能にする従来の方法は、ｗｗｗ．ｔｈｅｖｉｓｕａｌｉｚｅｒ．ｃｏｍに開示されている。その方法は、ＭＩＤＩ鍵盤楽器への接続を有する大きな表示装置を用いることを含む。その表示装置は、鍵盤および楽譜の一部を表示し、教師によってクラスの生徒の前に配置され得る。教師が音符を演奏すると、その表示装置は、特定の態様で、その音符に対応するキーを強調表示し、楽譜ディスプレイ上の音符を示すことによって、演奏された音符を示す。生徒は、表示装置を見る必要があり、次いで、表示装置によって示されたキーを押すためにそれぞれの鍵盤に目線を下ろす必要がある。そのようなディスプレイは、押されるべきキーを示すものを提供するためには有用であるが、ディスプレイを見上げ、次いで音符を演奏するために鍵盤に目線を下ろし、次の音符に対してもこのプロセス等を繰り返していくことは、困難である。
【０００８】
従って、演奏指導機能を有する楽器を用いる従来の方法は、自動化された独学に基づくものであり、人間のインストラクターによる指導を除外し、その一方、従来のグループ指導方法は、厄介である。
【発明の開示】
【課題を解決するための手段】
【０００９】
（本発明の概要）
本発明の課題は、各生徒の楽器に関連した表示装置を用いることによって、１人の生徒または一グループの複数の生徒に、人間のインストラクターによる音楽の指導方法を提供することである。
【００１０】
本指導方法の第１の実施形態は、１人以上の生徒のグループ指導に向けられたものである。この実施形態では、楽器のインストラクターの手動操作が、各生徒の楽器上のガイドランプの光をリアルタイムで制御する。具体的には、インストラクターが音符を演奏すると、音符演奏データでななく、光を含むＭＩＤＩデータまたはランプ制御データが、生徒の楽器に伝送される。そのランプ制御データは、各生徒の楽器上のガイドランプを駆動することによって、演奏された音符を視覚的に示すが、生徒の楽器において音を生成することはない。これによって、生徒が、演奏されるべき音符をインストラクターの口頭指示に視覚的に関連付け、次いで、インストラクターまたは遠くのディスプレイを見上げる必要なしに、視覚的に示された音符を演奏することが、可能になる。
【００１１】
第１の実施形態の一局面によって、各生徒の楽器上でリアルタイムに楽譜情報を表示することが可能になる。具体的には、インストラクターの楽器の手動操作は、演奏された音符に対応するガイドランプのリアルタイムでの光を制御するのみならず、各生徒の楽器上に、演奏された音符の楽譜表示を提供する。生徒は、演奏された音符を、楽譜ディスプレイ上の音符に視覚的に関連付けることができる。楽譜ディスプレイは各生徒の楽器上にあるので、生徒は、教室の前にある表示装置を見上げるために楽器から注意をそらす必要はない。
【００１２】
第１の実施形態のさらに別の局面によって、各生徒の楽器のガイドランプを用い、記憶された演奏データの進行を制御することによって、インストラクターが、インストラクターの楽器に関連付けられた外部または内部記憶装置上に記憶された演奏データに基づいて、１人の生徒または一グループの複数の生徒を導くことが、可能になる。記憶されたＭＩＤＩデータを有する記憶媒体は、インストラクターの楽器に挿入される。記憶されたＭＩＤＩデータは、演奏データの音符に対応するガイドランプを駆動することによって、インストラクターの楽器および生徒の楽器上で点滅させる。点滅するガイドランプは、演奏されるべき音符を各生徒に知らせる。
【００１３】
インストラクターが、インストラクターの楽器上のガイドランプによって示された音符を演奏するときにおいて、この音符は、インストラクターの楽器によって音が出され、各生徒の楽器上の音符に対応するガイドランプは、点滅光から点滅していない光へと変えられる。生徒は、インストラクターの演奏を追い参加するように、通常の方法でキーを押すことによって、生徒の鍵盤において音符の音を出させる。記憶されたＭＩＤＩデータが、演奏された音符に対して自動伴奏データを含む場合では、伴奏音楽も演奏される。次いで、記憶されたＭＩＤＩデータが、次の音符に対応するガイドランプを駆動することによって、全ての楽器上で点滅させる。このようにして、記憶されたＭＩＤＩデータを用いることによって各生徒の楽器のガイドランプを光らせ得、場合によっては伴奏を提供し得るが、ガイドランプの光の進行は、インストラクターによってリアルタイムで制御される。これによって、インストラクターが、音符ごとに１人の生徒または一グループの複数の生徒を指導することが、可能になる。大きなグループの複数の生徒でさせ、斉唱し得る。
【００１４】
第１の実施形態のこの局面は、単に演奏または歌を習うこととは別の可能性を作り出す新たなグループ音楽を大いに切り開くということに、留意されたい。インストラクターもガイドランプを用いて指示されるので、インストラクターは、熟練の演奏者である必要はない。インストラクターは、単に、音楽を作り出す一グループの複数の演奏者をリードするまとめ役であり得る。
【００１５】
本発明の第２の実施形態は、インターネットなどの通信ネットワークを介した遠隔指導に向けられたものである。この実施形態では、インストラクターまたは演奏者は、通信ネットワークに接続されたＭＩＤＩ楽器上の音符を演奏する。生徒も、それぞれの楽器を介してネットワークに接続されている。インストラクターが音符を演奏すると、音符演奏データではなく、ランプ制御データを含むＭＩＤＩデータが、通信ネットワーク上で生徒の楽器に伝送される。そのランプ制御データは、各生徒の楽器上のガイドランプを駆動することによって、演奏された音符を視覚的に示すが、音の生成は引き起こさない。次いで、生徒は、視覚的に示された音符を演奏し音を生成することができる。
【００１６】
この第２の実施形態は、第１の実施形態に対して上述したように、記憶されたＭＩＤＩデータおよび／または楽譜ディスプレイを用いて、さらに利用され得る。
【００１７】
本発明のさらに別の実施形態は、電子楽器のパネル用のインターフェースと、そのインターフェースを用いた指導方法とに向けられたものである。電子楽器のパネルは、初心者の演奏者には非常に怖く理解しがたくあり得る多くのパネル要素を有する。特定のタイプの演奏者（例えば、若者または高齢者の演奏者）は、パネルにさらに困難を有し得る。そのパネルは、用語を理解すること、および小さなフォントを用いるには困難であり得る。
【００１８】
本発明の一実施形態は、パネル上の取り外し可能なインターフェースの配置に向けられたものである。インターフェースは、特定のパネル要素をリネームし、別のパネル要素を隠す。カラーコーディングを用いることによって、類似の機能を有するキーのグループをクラスター分けする。カラーコーディングをＬＣＤパネル上で用いることによって、パネル要素のクラスターを、ＬＣＤパネルの特定部分に結び付け得る。このようにして、インターフェースは、一グループの複数の生徒または演奏者を指導するために用いられ得る。インターフェースは、上述の第１および第２の実施形態とともにも用いられ得る。
【００１９】
本発明の実施形態のこれらの特徴および利点、ならびに別の特徴および利点は、当業者には、図面と添付の特許請求の範囲とともに読むと、本発明の実施形態の下記の詳細な説明から、明らかになる。
【発明を実施するための最良の形態】
【００２０】
好適な実施形態の以下の説明において、本明細書の一部を形成し、本発明が実施され得る特定の実施形態の説明を目的として示される添付の図面を参照する。本発明の好適な実施形態の範囲から逸脱することなく、別の実施形態が用いられ得、構造上の変化がなされ得るということは、理解されるべきである。
【００２１】
以下の説明において、インストラクターが熟練の音楽教師または演奏者である必要がないということも、理解されるべきである。本発明は、インストラクターとしての熟練の演奏者および熟練でない演奏者のいずれにも適切である。その理由は、そのインストラクターは、ガイドランプおよび楽譜ディスプレイを介して同じように指示され得るためである。そのようなインストラクターは、単に、演奏するグループのまとめ役の役割を務め得るだけである。
【００２２】
図１は、本発明の実施形態に用いられる電子楽器１を示す。電子楽器１は、複数の操作部品またはキー３を有する鍵盤２を含む。電子鍵盤楽器を図１に示したが、本発明は、全ての別の種類の電子楽器（例えば、電子弦楽器）、ならびにＭＩＤＩ入力部および出力部を有する非電子楽器に適用可能である。
【００２３】
電子楽器１のキー３は、各音の生成されるピッチを指定する。所定のキーが押されると、押されたキーの検出回路（図１には示さず）は、押されたキーの検出とともにキーオンイベントデータを、押されたキーのピッチを示すキーコードを、キーをはなすとともにキーオフイベントデータを出力する。演奏データに基づいて、音供給源回路（図示せず）は、複数の音信号を生成する。音信号は、デジタル／アナログ変換器と、スピーカ４および５を含むサウンドシステムとを介して、可聴に再生される。このようにして、演奏は、鍵盤２のキー３の手動操作を介して演奏者によって実行され得る。
【００２４】
電子楽器は、様々な種類の情報を入力するための複数のパネルスイッチ６をさらに含む。パネルスイッチ６は、音色設定スイッチと、値設定用の数字キーパッドと、増／減スイッチと、自動演奏開始／終了スイッチと、全システム設定スイッチと、演奏指導機能ＯＮ／ＯＦＦスイッチとを含み得る。
【００２５】
電子楽器１は、外部記憶媒体用の記憶装置７も含む。記憶装置７は、電子楽器１の外部にあり得るか、または、図示されているように内部にあり得る。記憶装置７は、多くの従来の記憶装置のうちの任意の１つであり得、その記憶装置とは、例えば、フロッピー（登録商標）ディスク装置（図示せず）、ＣＤ−ＲＯＭ（ｃｏｍｐａｃｔ−ｄｉｓｋ  ｒｅａｄ−ｏｎｌｙ  ｍｅｍｏｒｙ）装置、ＭＯ（ｍａｇｎｅｔｏ−ｏｐｔｉｃａｌ）ディスクドライブ、ＤＶＤ（ｄｉｇｉｔａｌ  ｖｅｒｓａｔｉｌｅ  ｄｉｓｋ）ドライブ、または、取り外し可能なフラッシュメモリーカードもしくはフラッシュメモリスティック用のフラッシュメモリーカードドライブである。記憶装置７の記憶媒体は、所定の演奏に対応する様々な演奏データを記憶し得る。
【００２６】
電子楽器１は、演奏を指導するための２つの表示装置を有する。第１の表示装置は、複数のガイドランプ８である。各ガイドランプ８は、鍵盤２の対応するキー３に隣接し、ＬＥＤを含む。図１には、ガイドランプとキーとの一対一の対応が示されているが、ガイドランプの数を変えてもよい。複数のパネルスイッチ６にある演奏指導機能ＯＮ／ＯＦＦスイッチが一旦ＯＮになると、ＬＥＤは、発光するように制御される。ディスプレイ回路（図示せず）は、適切なＬＥＤを光らせる機能をする。光っているガイドランプは、演奏者に、ランプの対応するキーを押すように知らせる。ガイドランプの発光が止まると、演奏者は、押したキーをはなす。このようにして、ガイドランプ８は、演奏を含む楽譜の演奏を介して、演奏者を指導する。
【００２７】
演奏を指導する第２の表示装置は、鍵盤２のキー３に隣接して配置されたＬＣＤパネル９である。ＬＣＤパネル９は、演奏を指導する任意数のグラフィカルシンボルを表示し得る。例えば、ＬＣＤは、演奏が進むにつれ、演奏の楽譜を表示し得る。それは、鍵盤２の一部または全体の画像も表示し得る。表示された鍵盤のキーは、演奏を通じて演奏者を指導するようにスクリーン上で強調表示され得る。ＬＣＤ９は、強調表示されたキーを押すための指とともに、押されるキーの近くに持ってこられた両手のイメージも表示し得る。ガイドランプ８と同様に、ディスプレイ回路は、ＬＣＤ９上の画像を表示する機能をする。
【００２８】
電子楽器１は、通信インターフェース１０を含む。通信インターフェース１０は、通信ネットワークに接続され得、その通信ネットワークは、例えば、ＬＡＮ（ｌｏｃａｌ  ａｒｅａ  ｎｅｔｗｏｒｋ）、インターネット、または電話ネットワークである。次いで、通信ネットワークは、サーバコンピュータ、または別の電子楽器などに接続される。サーバコンピュータまたは電子楽器からのデータは、通信インターフェース１０を介して、電子楽器１へと通信ネットワーク経由でダウンロードされ得る。
【００２９】
電子楽器１は、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）メッセージを別のＭＩＤＩ装置へと送受信するＭＩＤＩインターフェース１１をさらに含む。ＭＩＤＩインターフェースは、３つのＭＩＤＩ端子１１ａ（ＭＩＤＩ  ＩＮ）、１１ｂ（ＭＩＤＩ  ＯＵＴ）、１１ｃ（ＭＩＤＩ  ＴＨＲＵ）を含む。ＭＩＤＩ  ＩＮ端子１１ａは、外部ＭＩＤＩ装置（例えば、シークエンサーまたは別のＭＩＤＩ楽器）からＭＩＤＩメッセージを受信する。ＭＩＤＩ  ＯＵＴ端子１１ｂは、電子楽器１によって生成されたＭＩＤＩメッセージを送り出す。ＭＩＤＩ  ＴＨＲＵ端子１１ｃは、ＭＩＤＩ  ＩＮ端子１１ａにおいて受信したＭＩＤＩメッセージを変化させずにリレーする。
【００３０】
電子楽器１は、ＭＩＤＩ  ＩＮ端子１１ａを介して、複数のトラックを含む演奏データセットを受信し得る。各トラックは、イベントデータおよびタイミングデータを含む。タイミングデータは、イベントデータを読み出すタイミングを示す。イベントデータは、キーオンイベントデータ、キーオフイベントデータ、システム専用データなどを含む。キーオンイベントデータは、電子楽器１に、音符の音出しを始めさせるように指示する。キーオフイベントデータは、その電子楽器に、減衰を伴ってか伴わずに音符の音出しを終了させるように指示する。
【００３１】
システム専用（ＳｙｓＥｘ）イベントデータまたはメッセージは、演奏情報以外の情報（例えば、各製造者に固有のデータ）がＭＩＤＩ形式で転送されたときにおいて、用いられる。ＳｙｓＥｘメッセージを受信する電子楽器１に対して、パネルスイッチ６が提供するＳｙｓＥｘ受信スイッチは、ＯＮにされている必要がある。ＳｙｓＥｘ受信スイッチがＯＮにされると、電子楽器１は、外部供給源によって生成されたＳｙｓＥｘメッセージを受信し得る。
【００３２】
ＳｙｓＥｘメッセージは、電子楽器１のガイドランプ８の光を制御するために使用され得る。Ｙａｍａｈａ’ｓ  Ｃｌａｖｉｎｏｖａ型のピアノは、ガイドランプの光を制御する次のＳｙｓＥｘメッセージを有する：（１）Ｋｅｙ  ＬＥＤ  Ｍｏｄｅ  ＯＦＦおよび音符あり、（２）Ｋｅｙ  ＬＥＤ  Ｍｏｄｅ  ＯＮで、音符なし、または（３）Ｋｅｙ  ＬＥＤ  Ｍｏｄｅ  ＯＮで、音符あり。このメッセージがＫｅｙ  ＬＥＤ  Ｍｏｄｅ  ＯＦＦで音符ありの場合、ガイドランプ８のＬＥＤは発光しないが、外部ソースからのキーオンイベントデータ（ｋｅｙ−ｏｎ  ｅｖｅｎｔ  ｄａｔａ）は、電子楽器１に、そのキーオンイベントデータに対応する音符を生成するように命令する。このメッセージがＫｅｙ  ＬＥＤ  Ｍｏｄｅ  Ｏｎで、音符なしの場合、ＬＥＤは発光する。外部装置からのキーオンイベントデータは、対応するＬＥＤが発光するようにトリガするが、このデータは、電子楽器１に音符を生成するように命令しない。このメッセージがＫｅｙ  ＬＥＤ  Ｍｏｄｅ  Ｏｎで音符ありの場合には、ガイドランプ８のＬＥＤは発光し、電子楽器１は、音符を生成するように外部装置によって命令される。
【００３３】
これらのＳｙｓＥｘメッセージは、外部シーケンサとともに以前から使用されてきており、例えば小売店においては、電子鍵盤楽器の演奏ガイダンス機能をデモンストレーションしている。このシーケンサは電子キーボード器に接続され、その機器に自動演奏用のＭＩＤＩデータを供給する。このシーケンサは、Ｋｅｙ  ＬＥＤ  Ｍｏｄｅ  ＯＮメッセージを生成して、自動演奏中に連続的なガイドランプの発光を示し、客はその演奏に対応するキーを視覚し得る。
【００３４】
本発明の実施形態を実施するためには、図１の電子楽器は、他の電子楽器とともにネットワーク中に置かれる。図２は、電子楽器２０、２１、２２、２３および２４を有するネットワークの一構成を図示する。電子楽器２０、２１、２２、２３および２４は同一のものであるが、ネットワークは、様々なタイプの電子楽器を備え得る。さらに、電子楽器の数は、図２に図示された５つの楽器から変化し得る。
【００３５】
図２中のネットワーク構成は、ＭＩＤＩデイジーチェーンである。ＭＩＤＩデイジーチェインは、直列的な一方向接続である。具体的には、電子楽器２０のＭＩＤＩ  ＯＵＴ端子が、ＭＩＤＩケーブル２５を介して電子楽器２１のＭＩＤＩ  ＩＮ端子に接続される。電子楽器２１のＭＩＤＩ  ＴＨＲＵ端子は、次いで、ＭＩＤＩケーブル２６を介して電子楽器２２のＭＩＤＩ  ＩＮ端子に接続される。電子楽器２３および２４は、図２に示されるように、ＭＩＤＩケーブル２７および２８を介して同じ態様で電子楽器２２および２３にそれぞれ接続される。
【００３６】
図示されるＭＩＤＩデイジーチェインネットワークでは、電子楽器２０は、他の全ての電子楽器２１、２２、２３、および２４を制御する。例えば、電子楽器２０上で押されたキーは、他の全ての電子楽器２１、２２、２３および２４に、その押されたキーに対応する音色を鳴らせる。電子楽器２０から他の電子楽器２１、２２、２３および２４へのＭＩＤＩデータの流れは、図２中のＭＩＤＩケーブル２５、２６、２７および２８の付近の矢印で示される。他の電子楽器２１、２２、２３および２４の任意のキーを押すことによっては、単にキーが押された電子楽器において音色が生成されるだけであり、それは、その出力が、その機器から発せられたデータではなく、その機器を通過して来たのみのデータであるからである。
【００３７】
図２中の電子楽器のデイジーチェーンネットワークは、グループ教育に対して本発明の第１の実施形態を実施するのに使用され得る。電子楽器２０は、インストラクターによって演奏され、一方、電子楽器２１、２２、２３および２４は生徒によって演奏される。インストラクターが自身の電子楽器のキーを押す。このことは、電子楽器２０のパネルおよびキーボードの部分詳細図によって図２中に示される。キー２９上の黒点は、インストラクターがＣ音を演奏したことを示す。もちろん本実施形態において、１より多いキーが同時に押され得る。
【００３８】
インストラクターがキーを押すことによって、ランプ制御データが生成され、このデータは、各生徒の電子楽器のガイドランプ８をリアルタイムで光らさせる。これは、予備のＳｙｓＥｘメッセージを介して達成される。具体的には、指導の前に、ファシリテイターディスクが、インストラクターの電子楽器の記憶装置７に挿入される。このディスクは、予備ＳｙｓＥｘメッセージのＭＩＤＩファイルを含む。このメッセージのデータが「Ｋｅｙ  ＬＥＤ  Ｍｏｄｅ  ＯＮで、音符あり」の場合に、押されたキー２９に対応する各生徒の電子楽器の２１、２２、２３および２４のＬＥＤ（単数または複数）が光る。このことは、各生徒の電子楽器のキーボードおよびパネルの部分詳細図によって図２中に図示される。インストラクターの電子楽器２０の押されたキー２９に対応するガイドランプ３０、３１、３２、および３３は光る（暗いガイドランプとして示される）。このガイドランプはインストラクターがキー２９を放すまで光り続ける。
【００３９】
ガイドランプ３０、３１、３２および３３の光は、ひかれる音符とインストラクターの口頭指示との間における視覚的な連結を提供する。例えば、インストラクターは、ガイドランプ３０、３１、３２および３３のリアルタイムの光を利用して、生徒にキーボード上のキーを教え得る。インストラクターは、音楽用語（例えば、音符の名前）とキーボード上の対応するキーとの関係を説明するためにリアルタイムの光を利用もし得る。
【００４０】
光るガイドランプはさらに、各生徒がインストラクターを見上げないで光るガイドランプに対応するキーを弾くために、各生徒に対して視覚的な指示も提供する。さらに、標準ＭＩＤＩ演奏メッセージとは異なり、ＳｙｓＥｘメッセージは、電子楽器２１、２２、２３および２４が押されたキー２９に対応する音符を生成しないように命令する。その代わりに、各生徒は、音符を弾くために、および通常の態様で音符を独立して生成するために、光るガイドランプに対応するキーを押し得る。つまり、電子楽器２１、２２、２３および２４に供給されるＭＩＤＩデータは、音符を生成するためではなく、指示を提供するために使用される。
【００４１】
生徒が光るガイドランプに対応するキーを正しく押した後、インストラクターは別のキーを押し得る。このキーは、演奏している次の音符に対応し得る。このインストラクターの手作動により、次に押されたキーに対応する各生徒の電子楽器のガイドランプが駆動される。この態様により、インストラクターは、各々の機器のガイドランプの使用を介して、生徒またはグループ全体の生徒に演奏を教え得る。
【００４２】
「Ｋｅｙ  ＬＥＤ  Ｍｏｄｅ  ＯＮで音符なし」以外のＳｙｓＥｘメッセージが存在することは注目すべきである。例えば、「Ｋｅｙ  ＬＥＤ  Ｍｏｄｅ  ＯＮかつ音符あり」のＳｙｓＥｘメッセージにより、生徒の機器でＬＥＤは光り、音色が鳴る。「Ｋｅｙ  ＬＥＤ  Ｍｏｄｅ  ＯＦＦかつ音符あり」のＳｙｓＥｘメッセージにより、従来の態様ではＬＥＤが光ることなく音符も鳴らない。これらのメッセージは、指導に対しては特には有効でない。
【００４３】
しかし、インストラクターが、ガイドランプを光らせずに音符を弾いて指導したい場合もあり得る。インストラクターが各生徒の機器のＬＥＤを光らせたくない場合（または音を発生させたくない場合）、インストラクターの機器と生徒の機器とを接続しているＭＩＤＩケーブルを切断しなければならない。新たなＳｙｓＥｘメッセージ（Ｋｅｙ  ＬＥＤ  Ｍｏｄｅ  ＯＦＦかつ音符なし）がこの不利な点を克服するために定義される。この新たなメッセージは、インストラクターが任意のＭＩＤＩケーブルを切断することなく、各生徒の電子機器のＬＥＤをオフとし、インストラクターの機器でキーが押されることに応答して、各生徒の機器で応答することはない。したがって、ＳｙｓＥｘメッセージに関連づけられる２つの所望の命令モードがある：１）Ｋｅｙ  ＬＥＤ  Ｍｏｄｅ  ＯＮかつ音符なし、および２）Ｋｅｙ  ＬＥＤ  Ｍｏｄｅ  ＯＦＦかつ音符なし、である。その他は一般的に、指導のためには望まれない。
【００４４】
第１の実施形態の一局面は、生徒に音符を教えるために各生徒の楽器上のＬＣＤディスプレイを利用する。生徒は、音符名と弾かれるべきキーとの間の関係を学び得るだけでなく、音に対応する正確な音符を学び得る。楽譜ディスプレイ（ｓｃｏｒｅ  ｄｉｓｐｌａｙ）は各生徒の楽器上に提供されるので、生徒はクラスルームの前にある任意のディスプレイ装置を見上げる必要がなく、電子楽器から注意をそらされることがない。
【００４５】
この第１の実施形態の局面はさらに、図２において図示される。この実施形態では、新たなＳｙｓＥｘメッセージ（Ｋｅｙ  ＬＥＤ  Ｍｏｄｅ  ＯＮかつノーツ音符なし、および楽譜演奏）が定義される。インストラクターがキー２９を押すことによってＣ音を弾く場合、各生徒の楽器上で押されたキー２９に対応するガイドランプは、上述の態様で光る。押されたキー２９に対応する音名および音符が、各生徒のＬＣＤディスプレイ上に表示される。図２は、音名（例えば、Ｃ音）および押されたキーに対応する音符とともにト音記号を示す各生徒の音楽ディスプレイ３４、３５、３６および３７を図示する。同画像は、先生の楽器のディスプレイ上にも現れ得る。
【００４６】
音楽の楽譜ディスプレイはガイドランプの光と一緒に利用する必要がないことを注目すべきである。ＳｙｓＥｘメッセージは、「楽譜演奏」し、音符もＬＥＤ光も生成しないようにのみ定義され得る。さらに、ＬＣＤディスプレイは、音楽の楽譜以外の画像を表示し得る。例えば、ＬＣＤディスプレイは、キーボードおよび両手の画像を表示し得る。この表示されたキーボードは、押されたキー２９を視覚的に示し得、さらに音符を弾くべき正しい指を示し得る。
【００４７】
第１の実施形態の方法はさらに、自己指導に以前から利用されているような、記憶されたＭＩＤＩ演奏データとともに適用され得る。関連技術の記載にあるように、演奏ガイダンス機能は、典型的には、記憶されたＭＩＤＩ演奏データとともに利用される。記憶されたＭＩＤＩデータは、電子楽器によってアクセスされ、演奏される第１の音符のガイドランプが光る。演奏者が、光るガイドランプに対応する音符を弾く場合、その音符が鳴り、次の音符に対応するガイドランプが光る。指示された音符に関連する任意の伴奏音楽が、キーを押すことによって演奏されもする。つまり、伴奏音楽の自動演奏データは、正しい音符が弾かれるまで待っている。
【００４８】
記憶されたＭＩＤＩデータが第１の実施形態で使用される場合（すなわち、演奏をガイドするためにインストラクターによって利用される場合）、弾かれる第１の音符に対応するガイドランプは、インストラクターの楽器上で光るが、生徒の電子楽器上では対応するガイドランプは光らず、それは、ＭＩＤＩ出力信号が、キーが押されることにより生成されるだけだからである。上述されるように、インストラクターが第１の指示された音符を弾いた後にのみ、各生徒の楽器のガイドランプは光る。したがって、生徒は、演奏に続くのに理想的でない音符が引かれた後でのみ、視覚な指示を受ける。生徒は、インストラクターが音符を弾く前には、弾くべき音符の任意の視覚的な指示を受けない。さらに、弾かれた音符が伴奏音楽をトリガする場合には、伴奏音楽が演奏され、生徒は光って指示される音符を弾く。したがって、生徒は、彼らがその音符を弾くのと同じ伴奏音楽を聞くという利益を享受しない。
【００４９】
第１の実施形態の別の局面では、弾かれるべき次の音符（単数または複数）を指示する記憶されたＭＩＤＩ演奏データは、音符が弾かれる前に、インストラクターの電子楽器のガイドランプを光らせるためだけではなく、各生徒の電子楽器のガイドランプを光らさせるのに使用される。さらに、インストラクターは、ガイドランプ光の進行およびリアルタイムの演奏を制御し得る。この態様では、インストラクターは、例えば、音楽演奏を介して生徒をガイドし、生徒は、インストラクターと実質的に同時に弾き、演奏する音符を弾くとともに伴奏音楽を聴くという利益を享受する。
【００５０】
実施されるべき第１の実施形態の局面に対して、インストラクターは、インストラクターの電子楽器の記憶装置７に、音楽演奏のＭＩＤＩデータを含む記憶媒体を挿入する。代替的には、ＭＩＤＩデータは、電子楽器のメモリ中に格納される。ガイドランプを光らせるＭＩＤＩデータは、ガイドトラックと呼ばれる所定のチャンネルまたはトラック中にある。このガイドトラック上のデータは、シーケンサまたは類似の装置により別のＭＩＤＩチャンネルまたはトラックに複製される。新たなトラック上のデータは、ガイドランプが新たなトラック上の音符毎に点滅するように調節される。このことは、値１をトラック上の音符ごとの速度に割り当てることによって達成され得る。これらのトラックのどちらも、各生徒の電子楽器によって受け取られ、ガイドランプを駆動する。インストラクターが所定の音符を演奏する前に、新たなトラックが発光を提供し、インストラクターが音符を弾くことによって、各生徒の機器のガイドランプを下記のように光らせる。
【００５１】
具体的には、記憶された新たなＭＩＤＩデータのトラックが電子楽器によってアクセスされる場合に、弾かれるべき第１の音符に対応するガイドランプが、例えば図２のようなネットワーク中のすべての電子楽器において点滅する。したがって、インストラクターおよび生徒は、弾かれるべき音符の視覚的な指示を受け取る。生徒はいつでも、電子楽器上で指示された音符を弾き得る。しかし、インストラクターのみが、演奏の進行およびガイドランプの光りを制御する。インストラクターが点滅しているガイドランプによって指示される音符を弾く場合、弾かれるべき音符に対応するガイドランプは、各生徒の電子楽器において点滅から光りっぱなしへと変化する。このことにより、インストラクターが音符を弾いたことが生徒に示される。弾かれるべき次の音符に対応するガイドランプが点滅して光り、その弾かれた音符に関連付けられる任意の伴奏音楽が演奏される。この態様では、生徒は、弾かれるべき音符の視覚的な指示を受け取るが、インストラクターは、音楽演奏の進行およびガイドランプの発光をリアルタイムで制御し得、それによって、演奏音符ごとに生徒をガイドする。
【００５２】
ガイドランプの発光と同様に音楽演奏の進行のリアルタイムの指導制御は、グループティーチングに特に有効であり得る。例えば、インストラクターは、すべての生徒が点滅するガイドランプに指示された正しい音符を演奏する準備ができているか否かを第１に確かめ得る。いったん確かめられると、このクラスは、次いで、点滅するガイドランプに対応する音符を同時に演奏し得る。音符が伴奏音楽と関連付けられている場合には、クラス全体が、彼らが音符を弾くにつれ伴奏音楽を聴き得る。これにより、クラスに対して建設的な強化が浸透する。
【００５３】
さらに、第１の実施形態のこの局面は、技術的に未熟な指導者に対しても特に有効であり得る。このガイドランプは、各生徒の電子楽器だけではなく、インストラクターの電子楽器上で点滅形式で光る。したがってこのインストラクターは、生徒（単数または複数）を指導するための音楽のトレーニングをする必要がない。インストラクターは、裁量で点滅するガイドランプに従うだけで、グループ演奏を容易にし得る。
【００５４】
図２のＭＩＤＩデイジーチェーン構成は特に経済的であり、それは各生徒の電子楽器に対して１本のＭＩＤＩケーブル以外の任意の外部のハードウェアをなくして達成され得るからである。多数機器中のＭＩＤＩデイジーチェーン構成は、異なる回数、異なる機器において音を鳴らせるような機器間で達成されるＭＩＤＩ遅延による標準ＭＩＤＩ演奏アプリケーションに対しては一般的に薦められないことに注目すべきである。しかし、このＭＩＤＩデイジーチェーン構成は、本発明の実施形態に受け入れられ、好まれ得、それは、演奏者を指導するためのランプ制御データのみが各機器において使用されるからである。
【００５５】
ＭＩＤＩデイジーチェーン以外のネットワーク構成が、本発明の実施形態に対して使用され得る。図３は、ハブアンドスポーク構成を図示する。この構成の一利点は、ＭＩＤＩデイジーチェーンみ見られる任意のＭＩＤＩ遅延の除去である。インストラクターによって使用される電子楽器４０はこの構成中ではハブであり、一方生徒によって使用される電子楽器４１、４２および４３はこの構成中ではスポークである。この電子楽器は、コントローラ、ルーターなどの参照番号４５によって示されるものに接続される。具体的には、電子楽器４０のＭＩＤＩ  ＯＵＴ端子は、ＭＩＤＩケーブル４６を介してコントローラ４５のＭＩＤＩ  ＩＮ端子に接続される。コントローラ４５は、多くのＭＩＤＩ  ＯＵＴ端子を備える。その３つのＭＩＤＩ  ＯＵＴ端子は、ケーブル４７、４８および４９それぞれを介して電子楽器４１、４２および４３のＭＩＤＩ  ＩＮ端子に接続される。
【００５６】
図２のＭＩＤＩデイジーチェーン構成のように、図３における電子楽器４０は、他のすべての電子楽器４１、４２および４３を制御する。例えば、電子楽器４０上で押されたキーにより、他の全ての電子楽器４１、４２および４３は、押されたキーに対応する音を鳴らす。電子楽器４０から他の電子楽器４１、４２および４３へのＭＩＤＩデータの流れは、図３においてＭＩＤＩケーブル４６、４７、４８および４９の付近の矢印により示される。図３の構成は、この構成を実施する必要がある付加的なハードウェア（例えば、コントローラ４５）により好ましくないものであることに注目されたい。
【００５７】
本発明の第２の実施形態は、インターネットのような通信ネットワークを介して生徒または生徒のグループの遠隔指示に向けられる。この実施形態では、インストラクターは、インターネットに接続された楽器上で音符を弾く。生徒は、異なる位置におり、各々の楽器の通信インターフェース６を介してインターネットに接続される。生徒の一部は、各々の電子楽器に接続されるコンピュータを介してインターネットに接続され得る。
【００５８】
ＭＩＤＩデータは、インターネットを介してインストラクターの電子楽器から送信され、各生徒の電子楽器またはコンピュータによって受信される。このＭＩＤＩデータは、上述の指導方法を達成するためのデータを含む。例えば、インストラクターが音符を弾くにつれ、音符演奏データではなく、ランプ制御データを含むＭＩＤＩデータが、インターネットを介して生徒の電子楽器に伝送される。ランプ制御データは、各生徒の楽器上のガイドランプを駆動し、弾くべき音符を視覚的に示し、生徒の楽器で音を生成する必要がない。したがって生徒は、視覚的に示された音符を弾き、音を生成し得る。さらには、ＭＩＤＩデータは、楽譜ディスプレイが弾くべき音符の音符を提供するように制御するデータを含み得る。第２の実施形態は、第１の実施形態に関して上述されたように、記憶された演奏データとともにも利用され得る。
【００５９】
他のデータがインターネットを介してＭＩＤＩデータとともに送信され得ることに注目されたい。例えば、ビデオデータのストリーミングが、生徒のコンピュータモニター上の（可能ならば、電子楽器のＬＣＤパネル９上の）演奏者のリアルタイム画像を提供するためにＭＩＤＩデータとともに送信され得る。ＭＩＤＩデータを有するこのようなデータは、遠隔指示のための視覚的なコンテクストを提供する。
【００６０】
第２の実施形態が通信ネットワークのようなインターネットとともに記載されたが、他のネットワークも使用され得る。通信ネットワークは、ワイヤレス通信ネットワーク、公衆電話線を使用したネットワーク、ＬＡＮなどであり得る。ワイヤレス通信ネットワークでは、電子楽器の通信インターフェースは、データ（例えば、ランプ制御データ）を運ぶ電気信号、電磁気信号または光学信号を送受信する。
【００６１】
本発明の実施形態は、インストラクターが生徒または生徒のグループに教えることとともに記載された。しかし、このグループは、先生が生徒と一緒におり、演奏者がファンと一緒におり、または師匠が弟子と一緒にいる必要がない。本発明の実施形態は、機器の設定を超えた新たなグループ音楽の可能性を開く。
【００６２】
例えば、本発明の実施形態は、病院環境において適用され得る。患者のグループが、病状快方または癒しを促進するために、技術的に未熟な病院関係者によって指導され得る。本発明の実施形態は、老人コミュニティーの環境においても適用され得る。老人コミュニティーにおけるファシリテーター（例えば、職員または退職者でさえ）は、退職後の生活の質を向上するように設計された音楽プログラムを介して老人のグループを指導し得る。本発明の実施形態は、通信ネットワークを介して、音楽を弾くことを学びたいと思う友達グループの家においてもさらに適用され得る。例えば、毎週、一友人が、音楽演奏を介してグループを指導することによってファシリテーターの役割を果たし得る。
【００６３】
これらのグループ音楽の可能性は音楽演奏を学ぶことに制限されないことに注目されたい。このようなプログラムに、この楽器によって生成される音を聴くという報酬を介して、２，３の音符を学ぶこと、音楽のリラックス技術を使用すること、または子供の生徒を集中させて教えることも含まれ得る。
【００６４】
現在の電子楽器は、初心者から専門家までの範囲の個人が作曲することを可能にする多くの特徴を有することに注目されたい。結果として、電子楽器のパネルは、多くの様々なスイッチ、ボタン、ノブなどを含み得る。ユーザーが上述のような技術的に熟練していない演奏者、つまり初心者である場合、多くの様々なパネルの要素（特に、使うことを意図しない要素）におびえさせられ得る。しかし、各グループの演奏者のパネル構成を変更することは、時間を浪費させおよびコストを高くし得る。
【００６５】
図４は、本発明の電子キーボードの楽器の実施形態を図示する（本発明は他のタイプの楽器に適用可能であるが）。パネル６０は、電子キーボード楽器のパネルであり、インターフェース６１は、図４中の点線によって示されるように、パネル上に配置されるように設計される。このパネル６０は、ＬＣＤパネル６２、ＬＣＤパネル６２上の情報を制御するためのデータホイールまたはノブ６３、およびフェイドイン／フェイドアウトボタン６４を含む。制御部６５は、自動伴奏の形式（例えば、ポップ、ジャズ、ラテン）を選択することに関連するボタン群を指す。参照番号８０は、例えば、残響、変動、調和エコーなどの音声効果に関するボタン群を指す。参照番号８１は、メニュー（デモ、ヘルプ、ファンクション）およびデジタルスタジオ（サウンドクリエータ、デジタル録音コンソールおよびデジタルミキシングコンソール）に関するボタン群を指す。
【００６６】
ＬＣＤパネル６２は、対応するスイッチ、ボタン、ノブなどに関する情報を提供する様々なセクション６６、６７および６８を含む。例えば、セクション６６は、制御部６５によって制御される自動伴奏の形式に関する。パネル６０は、パネル要素の説明書きをも含む。例えば、参照番号６９は、その直下のボタン群用の「登録メモリ」を指す。
【００６７】
インターフェース６１は、プラスチックから作られ得るが、パネル６０の上側に配置され、取り外し可能である。それは、人目を引き、容易く理解できるような基本機能を特集する。インターフェース６１は、特定のパネル要素の切り抜き（ｃｕｔ−ｏｕｔ）を有する。例えば、切り抜き７１は、ＬＣＤ６２と接するように設計される。他のパネル要素は、インターフェース６１によって隠され、パネル６０を単純化する。これらのパネル要素は、アドバンスの特徴を指し得、または初心者つまり技術的に未熟な演奏者を困惑させ得る。例えば、インターフェース６１は、データホイール６３、フェイドインボタン／フェイドアウトボタン６４を覆う。また、それは、参照番号８０で示される音声効果に関するボタン群、および参照番号８１で示されるメニューおよびデジタルスタジオに関するボタン群を覆う。演奏者が学んでいく段階を通して進歩するにつれて、インターフェース６１のセクションが取り外され得、以前から隠れているパネル要素が見せられることに注目されたい。
【００６８】
インターフェース６１は、カラーコーディングおよび理解し易い用語やフレーズの使用により、同じ機能を有するパネル要素も覆う。例えば、自動伴奏の形式を制御する制御部６５は単純に大きなフォントで「ＳＴＹＬＥＳ」７２と名づけ、ボタンの全体の群は明るい色７０（反転した強調表示によって示す）で塗られた切り抜き部７５によって囲まれる。同様にして、様々な音符に関するボタンは、「ＳＯＵＮＤＳ」７３と名づけられ、様々な明るい色７４（異色で強調することによって示される）で塗られた切り抜き部に囲まれる。「登録メモリ」に関するボタン群は、さらに別の異なる色７８で塗られ、フレーズ「登録メモリ」は、インターフェース６１によって覆われており、理解し易いフレーズ「個人設定」７６と書かれて再配置される。この形式では、インストラクターは、色のセクションやトピック項目（例えば、ＳＴＹＬＥＳ）を指して、生徒をパネル６０の所定セクションに向かせ得る。この単純な項目により、生徒がパネル要素（単数または複数）の機能を理解するのが容易となる。
【００６９】
さらに、インターフェース６１のカラーコーディングは、ＬＣＤパネル６２と結び付けられ得る。このカラーコーディングは、所定のボタン群からディスプレイを制御するＬＣＤパネルディスプレイボタンまで広がる。例えば、ＳＴＹＬＥＳパネル要素のカラーコーディング７０は、インターフェース６１上でＬＣＤパネルディスプレイボタン８２まで広がる。同様に、ＳＯＵＮＤＳパネル要素のカラーコーディング７４、およびＭＹ  ＳＥＴＴＩＮＧＳパネル要素のカラーコーディング７８は、ＬＣＤパネルディスプレイボタン８３および８４までそれぞれ広がる。
【００７０】
ディスプレイボタン８２、８３および８４は、ＬＣＤパネル６１のセクション６６、６７および６８に関係し、これらはパネル群またはクラスターの要素に関する情報を提供する。ＬＣＤパネルのこれらのセクションはカラーコード化もされ得る。例えば、セクション６６は、ＳＴＹＬＥＳパネル要素のインターフェース６１上の色７０と同じ色であり得る。同様に、セクション６７および６８は、ＳＯＵＮＤＳおよびＭＹ  ＳＥＴＴＩＮＧＳパネル要素のインターフェース６１上のそれぞれと同じ色７４および７８であり得る。関係するボタン群またはクラスターをカラーコード化し、色を介してその群とディスプレイボタンおよびＬＣＤパネルとを結びつけることによって、初心者は関係するボタンとＬＣＤパネルのセクション中に提供される情報とを連想し易くなり得る。さらには、インストラクターは、単純にその色を呼ぶことによって、生徒をＬＣＤパネルセクションに向かせやすくなり得る。カラーコード化はさておき、ＬＣＤパネルは、さらに容易に参照するためにＳＴＹＬＥＳのような項目名を繰り返し得る。カラーコード化以外の様々なタイプのコード化（例えば、ハッチングまたはテクスチャコード化）が使用され得ることに注目したい。
【００７１】
本発明は、生徒または市場の年齢別のグループに依存して変形され得る。例えば、シニア用には、項目の一部のフォントサイズがより大きくされ得る。対象の挿絵は、パネル要素の機能を伝達するために使用され得る。例えば、図４のインターフェース６１上では、右手の挿絵７７は、パネル要素の機能を伝達するために使用される。子供の生徒用には、テレビマンガの挿絵等が、カラーコード化とともに使用され得、パネル要素の多くは隠され得、子供の生徒を少数のパネル要素に集中させる。
【００７２】
本発明は、本発明の第１の実施形態および第２の実施形態とともに使用され得る。例えば、インストラクターは、演奏前に生徒をパネルに向かせるためにインターフェース６１を指し得る。先生は、次いで、生徒に演奏に必要な特定のボタンを押すように指示し得る。一部の生徒は、特定のドラム音を提供するようにインターフェース６１を介して指示され得、他の生徒は他の音を提供するように指示され得る。したがって、インストラクターは、すべての音を結合する演奏を介して生徒を導くように第１の実施形態および第２の実施形態を使用し得る。
【００７３】
本発明は、添付図面を参照してその好ましい実施形態とともに完全に記載されたが、様々な変化および変形物が当業者にとって明らかであることに注目されたい。このような変化および変形物は、添付の特許請求の範囲によって定義される本発明の範囲内に含まれるものとして理解され得る。
【図面の簡単な説明】
【００７４】
【図１】本発明の実施形態に用いられる楽器の平面図である。
【図２】ネットワーク中の各楽器のパネルと鍵盤とを部分的に詳細に示した、図１の楽器のネットワークの概略図である。
【図３】楽器の別のネットワークの概略図である。
【図４】本発明の一実施形態による楽器のパネル上に配置されたパネルインターフェースの平面図である。
【図１】
2007526495.tif 000003
【図２】
2007526495.tif 000004
【図３】
2007526495.tif 000005
【図４】
2007526495.tif 000006
【誤訳訂正書】
【提出日】平成18年12月27日(2006.12.27)
【誤訳訂正１】
【訂正対象書類名】特許請求の範囲
【訂正対象項目名】全文
【訂正方法】変更
【訂正の内容】
【特許請求の範囲】
【請求項１】
音楽を教える方法であって、
第１の電子楽器を用いて少なくとも１つの音符を生成する工程と、
該音符に対応するデータを生成する工程と、
通信ネットワークを介して、該第１の電子楽器から複数の第２の電子楽器へと該データを伝送する工程と、
該受信したデータに基づいてそれぞれの第２の電子楽器上において音符を識別する視覚表示を提供することによって、ユーザーを指導する工程と
を包含する、方法。
【請求項２】
演奏を実行する方法であって、
第１の電子楽器に該演奏のデータを記憶する工程と、
該第１の電子楽器を少なくとも第２の電子楽器に接続する工程と、
該記憶されたデータに基づいて、該第１および第２の電子楽器上において音符を識別する視覚表示を提供する第１の工程と、
該第１の電子楽器を用いて該音符を演奏する工程と、
該音符に対応するデータを生成する工程と、
該第２の電子楽器へと該生成されたデータを伝送する工程と、
該生成されたデータに基づいて、該第２の電子楽器上に視覚表示を提供する第２の工程と、
該第２の電子楽器上の該音符を演奏する工程と
を包含する、方法。
【請求項３】
前記視覚表示を提供する第１の工程が、前記記憶されたデータに基づいて、前記第１および第２の電子楽器上の少なくとも１つのランプが光る工程を包含し、前記視覚表示を提供する第２の工程が、前記生成されたデータに基づいて、該第２の電子楽器上の少なくとも１つのランプが光る工程を包含する、請求項２に記載の方法。
【請求項４】
前記記憶されたデータに基づいて第１および第２の電子楽器上の少なくとも１つのランプが光る工程が、点滅の態様で該ランプが光る工程を包含し、前記生成されたデータに基づいて第２の電子楽器上の少なくとも１つのランプが光る工程が、定常的に光る態様で該ランプが光る工程を包含する、請求項３に記載の方法。
【請求項５】
前記記憶されたデータと前記生成されたデータとがＭＩＤＩデータである、請求項２に記載の方法。
【請求項６】
前記視覚表示を提供する第１の工程が、前記記憶されたデータに基づいて、前記第１および第２の電子楽器上に楽譜を表示する工程を包含し、前記視覚表示を提供する第２の工程が、前記生成されたデータに基づいて、該第２の電子楽器上に楽譜を表示する工程を包含する、請求項２に記載の方法。
【請求項７】
前記第１および第２の電子楽器が電子鍵盤楽器である、請求項２に記載の方法。
【請求項８】
前記接続する工程が、通信ネットワークを介して前記第１の電子楽器を前記第２の電子楽器に接続する工程を包含する、請求項２に記載の方法。
【請求項９】
前記通信ネットワークがインターネットである、請求項８に記載の方法。
【請求項１０】
前記記憶されたデータが自動伴奏データを含む、請求項２に記載の方法。
【請求項１１】
前記自動伴奏データに基づいて、前記第２の電子楽器上に伴奏を生成する工程をさらに包含する、請求項１０に記載の方法。
【請求項１２】
電子楽器とともに用いる装置であって、該楽器は、ディスプレイと、複数のパネル部材と、該パネル部材に対応するパネル文字とを備えたパネルを有し、該装置は、
上面と底面とを有するプレートであって、該底面は該パネル上に配置されるように適合されている、プレートと、
第１の開口部であって、第１のパネル部材が該第１の開口部を介して延びるように該第１のパネル部材に対応する、第１の開口部と、
第２の開口部であって、該ディスプレイが該第２の開口部を介して見ることができるように該ディスプレイに対応する、第２の開口部と、
少なくとも第３のパネル部材を覆う中実部と
を備える、装置。
【請求項１３】
前記プレートが、前記パネルに取り外し可能に取り付けられている、請求項１２に記載の装置。
【請求項１４】
前記中実部が、前記第３の部材の覆いを取るように取り外され得る、請求項１２に記載の装置。
【請求項１５】
前記電子楽器が電子鍵盤楽器である、請求項１２に記載の装置。
【請求項１６】
前記第１の開口部に隣接した前記プレートの前記上面が第１の色でマークされている、請求項１２に記載の装置。
【請求項１７】
前記第１の色が、前記第１の開口部から第４の開口部に隣接した領域へと前記プレートの前記上面に沿って延び、該第４の開口部は、前記第１のパネル部材に隣接した第４のパネル部材に対応する、請求項１６に記載の方法。
【請求項１８】
前記第１および第４パネル部材は、前記電子楽器に対して類似の機能を実行する、請求項１７に記載の装置。
【請求項１９】
前記第１の色が、前記第１の開口部から前記第２の開口部に隣接した領域へと前記プレートの前記上面に沿って延びる、請求項１６に記載の装置。
【請求項２０】
前記ディスプレイが前記第１の色を表示する、請求項１９に記載の装置。
【請求項２１】
前記中実部の前記上面が、パネル部材に対応する文字を含む、請求項１２に記載の装置。
【請求項２２】
前記中実部の前記上面の前記文字が、前記パネル部材に対応する前記パネルの文字と同一でない、請求項２１に記載の装置。
【請求項２３】
前記中実部上の前記文字が、前記パネル部材に対応する前記パネルの文字よりも大きい、請求項２２に記載の装置。
【請求項２４】
前記プレートがプラスチックから作成されている、請求項１２に記載の装置。
【請求項２５】
前記プレートが平坦である、請求項１３に記載の装置。
【請求項２６】
電子楽器を用いることによって音楽を学ぶ方法であって、
該電子楽器が、該電子楽器に接続された別の電子楽器に、音符を鳴らすように命令するイベントデータを伝送する第１の工程であって、該音符は該電子楽器で生成される、第１の工程と、
該別の電子楽器が、該伝送されたイベントデータに基づいて、音信号を生成する第２の工程と、
該電子楽器が、該別の電子楽器に、視覚ガイドモードオンかつ非発音となるように命令する第１のメッセージ、または視覚ガイドモードオフかつ非発音となるように命令する第２のメッセージを伝送する第３の工程と、
該電子楽器が、該別の電子楽器に、音符を鳴らすように命令する別のイベントデータを伝送する第４の工程であって、該音符は、該第３の工程において該第１のメッセージまたは該第２のメッセージを伝送した後に、該電子楽器で生成される、第４の工程と、
該第３の工程が該別の電子楽器に該第１のメッセージを伝送した場合において、該別の電子楽器が、該第１のメッセージにしたがって、該伝送された別のイベントデータに対応する音符を識別する視覚表示を提供するように制御し、該第１のメッセージにしたがって、該伝送された別のイベントデータに基づいて、音信号を生成しないように制御する第５の工程と、
該第３の工程が該別の電子機器に該第２のメッセージを伝送した場合において、該別の電子楽器が、該第２のメッセージにしたがって、該伝送された別のイベントデータに対応する音符を識別する視覚表示を提供しないように制御し、該第２のメッセージにしたがって、該伝送された別のイベントデータに基づいて、音信号を生成しないように制御する第６の工程と
を包含する、方法。
【請求項２７】
前記電子楽器が先生によって使用され、前記別の電子楽器が生徒によって使用される、請求項２６に記載の方法。
【請求項２８】
電子楽器であって、
該電子楽器は、該電子楽器に接続された別の電子楽器に、音符を鳴らせるように命令するイベントデータを伝送する伝送手段であって、該音符は該電子楽器で生成される、伝送手段を備えており、
該別の電子楽器は、該伝送されたイベントデータに基づいて、音信号を生成する音生成手段を備えており、
該電子楽器は、音符を識別する視覚表示を提供する視覚表示手段をさらに備えており、
該伝送手段は、該別の電子楽器に、視覚ガイドモードオンかつ非発音となるように命令する第１のメッセージ、または視覚ガイドモードオフかつ非発音となるように命令する第２のメッセージかさらに伝送し、該別の電子楽器に、音符を鳴らせるように命令する別のイベントデータをさらに伝送し、該音符は、該第１のメッセージまたは該第２のメッセージを伝送した後に、該電子楽器で生成され、
該伝送手段が該別の電子楽器に該第１のメッセージを伝送した場合において、該視覚表示手段は、該第１のメッセージにしたがって、該伝送された別のイベントデータに対応する音符を識別する視覚表示を提供するように制御され、該音生成手段は、該第１のメッセージにしたがって、該伝送された別のイベントデータに基づいて、音信号を生成しないように制御され、
該伝送手段が該別の電子楽器に該第２のメッセージを伝送した場合において、該視覚表示手段は、該第２のメッセージにしたがって、該伝送された別のイベントデータに対応する音符を識別する視覚表示を提供しないように制御され、該音生成手段は、該第２のメッセージにしたがって、該伝送された別のイベントデータに基づいて、音信号を生成しないように制御される、電子楽器。
【請求項２９】
前記電子楽器が先生によって使用され、前記別の電子楽器が生徒によって使用される、請求項２８に記載の電子楽器。
【誤訳訂正２】
【訂正対象書類名】明細書
【訂正対象項目名】００４０
【訂正方法】変更
【訂正の内容】
【００４０】
光るガイドランプはさらに、各生徒がインストラクターを見上げないで光るガイドランプに対応するキーを弾くために、各生徒に対して視覚的な指示も提供する。さらに、標準ＭＩＤＩ演奏メッセージとは異なり、ＳｙｓＥｘメッセージは、電子楽器２１、２２、２３および２４が押されたキー２９に対応する音符を生成しないように命令する。その代わりに、各生徒は、音符を弾くために、および通常の態様で音符を独立して生成するために、光るガイドランプに対応するキーを押し得る。つまり、電子楽器２１、２２、２３および２４に供給されるＭＩＤＩデータは、音符を生成する以外の指示を提供するために使用される。
【誤訳訂正３】
【訂正対象書類名】明細書
【訂正対象項目名】００４２
【訂正方法】変更
【訂正の内容】
【００４２】
「Ｋｅｙ  ＬＥＤ  Ｍｏｄｅ  ＯＮで音符なし」以外のＳｙｓＥｘメッセージが存在することは注目すべきである。例えば、「Ｋｅｙ  ＬＥＤ  Ｍｏｄｅ  ＯＮかつ音符あり」のＳｙｓＥｘメッセージにより、生徒の機器でＬＥＤは光り、音色が鳴る。「Ｋｅｙ  ＬＥＤ  Ｍｏｄｅ  ＯＦＦかつ音符あり」のＳｙｓＥｘメッセージにより、ＬＥＤは光ることなく、音符が従来のように鳴るようになる。これらのメッセージは、指導に対しては特には有効でない。
【誤訳訂正４】
【訂正対象書類名】明細書
【訂正対象項目名】００４８
【訂正方法】変更
【訂正の内容】
【００４８】
記憶されたＭＩＤＩデータが第１の実施形態で使用される場合（すなわち、演奏をガイドするためにインストラクターによって利用される場合）、弾かれる第１の音符に対応するガイドランプは、インストラクターの楽器上で光るが、生徒の電子楽器上では対応するガイドランプは光らず、それは、ＭＩＤＩ出力信号が、キーが押されることにより生成されるだけだからである。上述されるように、インストラクターが第１の指示された音符を弾いた後にのみ、各生徒の楽器のガイドランプは光る。したがって、生徒は、演奏に続くのに理想的でない音符が引かれた後でのみ、視覚的な指示を受ける。生徒は、インストラクターが音符を弾く前には、弾くべき音符の任意の視覚的な指示を受けない。さらに、弾かれた音符が伴奏音楽をトリガする場合には、伴奏音楽が演奏され、生徒は光って指示される音符を弾く。したがって、生徒は、彼らがその音符を弾く際に伴奏音楽を聞くという利益を享受しない。
【国際調査報告】
2007526495.tif 000007
2007526495.tif 000008
2007526495.tif 000009
2007526495.tif 000010
2007526495.tif 000011